(57)【要約】  本発明は、さまざまな形状やサイズの携帯クーラーボックスを最適かつ安定的に積み重ねることができるシステムを提供する。本発明のクーラーボックスシステムは、第１のサイズを有する第１のクーラーボックスと、第１のサイズと異なる第２のサイズを有する第２のクーラーボックスとを備える。１対の第２のクーラーボックスは、第１のクーラーボックスの上に積み重ねることができ、第２のクーラーボックスは、第１のクーラーボックスの蓋の長さ方向に沿って横向きに並んで配置される。第１のクーラーボックスの蓋の上面内側の幅は、第２のクーラーボックスの下部の長さよりもわずかかに大きく、第１のクーラーボックスの蓋の上面内側の長さは、第２のクーラーボックスの下部の長さの２倍よりも大きい。第２のクーラーボックス同士が隣り合うことと、これらの蓋と下部の面的係合により、第１のクーラーボックスの蓋上における１対の第２のクーラーボックスの水平方向の動きが制限される。【選択図】図１
2012502256.tif 000002
【特許請求の範囲】
【請求項１】
隆起縁部が設けられた蓋を備える第１のクーラーボックスと、
内側に凹んだ底面下部を備える第２のクーラーボックスと、
を備え
第２のクーラーボックスの前記底面下部が、第１のクーラーボックスの前記蓋の隆起縁部の内側に配置され、この隆起縁部により、第２のクーラーボックスの水平方向の動きが制限されるように、第２のクーラーボックスが第１のクーラーボックスの上に載置可能である、
積み重ね可能な携帯クーラーボックスシステム。
【請求項２】
第２のクーラーボックスの前記底面下部が、複数の安定脚部を備える、請求項１に記載の積み重ね可能な携帯クーラーボックスシステム。
【請求項３】
第１および第２のクーラーボックスが同じサイズである、請求項１に記載の積み重ね可能な携帯クーラーボックスシステム。
【請求項４】
第１および第２のクーラーボックスが異なったサイズである、請求項１に記載の積み重ね可能な携帯クーラーボックスシステム。
【請求項５】
内側に凹んだ底面下部を備える第３のクーラーボックスをさらに備え、第３のクーラーボックスの前記底面下部が、第１のクーラーボックスの前記蓋の隆起縁部の内側に配置され、この隆起縁部により、第３のクーラーボックスの水平方向の動きが制限されるように、第３のクーラーボックスが、第２のクーラーボックスに隣接して、第１のクーラーボックスの上に載置可能である、請求項４に記載の積み重ね可能な携帯クーラーボックスシステム。
【請求項６】
第２および第３のクーラーボックスが異なったサイズである、請求項５に記載の積み重ね可能な携帯クーラーボックスシステム。
【請求項７】
第２および第３のクーラーボックスが同じ大きさである、請求項５に記載の積み重ね可能な携帯クーラーボックスシステム。
【請求項８】
第１のクーラーボックスの蓋が、第１のクーラーボックスの本体にヒンジ状に接続されている、請求項１に記載の積み重ね可能な携帯クーラーボックスシステム。
【請求項９】
第１のクーラーボックスが、少なくとも１対の車輪をさらに備える、請求項１に記載の積み重ね可能な携帯クーラーボックスシステム。
【請求項１０】
当該携帯クーラーボックスシステムをその上に載置でき、不使用時には、第１のクーラーボックスの内部に収納可能である、折り畳み可能なカートをさらに備える、請求項１に記載の積み重ね可能な携帯クーラーボックスシステム。
【発明の詳細な説明】
【技術分野】
【０００１】
本発明は、携帯断熱容器、特に携帯クーラーボックスに関し、より具体的には、複数の携帯クーラーボックスを積み重ねるシステムに関する。
【背景技術】
【０００２】
携帯クーラーボックスは、断熱材料からなる本体を備え、この断熱本体により構成された内部空間に、冷やすべき物品を氷とともに収納する。同様に断熱材料からなる蓋が、クーラーボックスの上にヒンジで取り付けられており、この内部空間を閉鎖して、クーラーボックス内の物品の温度が維持されるようになっている。ハンドルが、クーラーボックスに固定または形成されており、クーラーボックスの容易な運搬を可能にしている。また、本体にはドレインが組み込まれており、蓋を開けることなく、クーラーボックスから水など液体の排出が可能となっている。蓋の上面はフラットになっている。
【０００３】
運搬および保管の際に、携帯クーラーボックスを別のクーラーボックスに積み重ねる場合がある。しかしながら、市販のクーラーボックスには、さまざまな形状やサイズのものがあるので、これらを最適かつ安定的に積み重ねることが困難な場合がある。また、通常のクーラーボックスの高さや基本構造は、これらを安定的に積み重ねることを考慮したものとはなっていない。
【発明の概要】
【発明が解決しようとする課題】
【０００４】
本発明は、異なる形状およびサイズの携帯クーラーボックスを、最適かつ安定的に積み重ねることを可能とする、携帯クーラーボックスの積み重ねシステムを提供することを目的としている。
【課題を解決するための手段】
【０００５】
本発明のクーラーボックスシステムは、第１のサイズを有する第１のクーラーボックスと、第１のサイズと異なる第２のサイズを有する第２のクーラーボックスを備える。それぞれのクーラーボックスは、断熱本体を備え、この断熱本体にはその底面から伸長する下部が設けられている。この下部の長さは、断熱本体の長さよりも短く、その幅は断熱本体の幅よりも狭くなっており、この下部の縁部は、断熱本体の底面縁部から内側に引っ込んでいる。前記クーラーボックスのうちの少なくとも１つは、全高が低くなっていることが好ましい。
【０００６】
それぞれのクーラーボックスは、断熱蓋を備え、この断熱蓋の上面は、所定の高さと厚さを備える隆起縁部を備えており、断熱蓋の上面の内側の長さや幅は、断熱蓋自体の長さや幅よりも短くなっている。この隆起縁部と蓋の上面の間には、曲面が伸長している。
【０００７】
この隆起縁部は、断熱本体の下部がその内側にぴったりと嵌まるように構成されている。すなわち、蓋の上面の内側の長さは、断熱本体の下部の長さよりもわずかに大きくなっており、蓋の上面の内側の幅は、断熱本体の下部の幅よりもわずかに大きくなっている。
【０００８】
一実施態様では、第１のクーラーボックスの蓋の長さ方向に沿って、１対の第２のクーラーボックスを横向きに配置することにより、この１対の第２のクーラーボックスを第１のクーラーボックスの上に積み重ねることが可能となっている。すなわち、第１のクーラーボックスの蓋の上面の内側の幅は、第２のクーラーボックスの断熱本体の下部の長さよりもわずかに大きくなっており、かつ、第１のクーラーボックスの蓋の上面の内側の長さは、第２のクーラーボックスの断熱本体の下部の幅の２倍よりも大きくなっている。このようにして、２つの第２のクーラーボックスを、第１のクーラーボックスの蓋の長さ方向に沿って横向きに配置することが可能となっている。
【０００９】
第２のクーラーボックスの断熱本体の下部の縁部を、第１のクーラーボックスの蓋の隆起縁部と上面の間に伸長する曲面と逆向きの曲面形状とすることもできる。第１のクーラーボックスの断熱蓋の上面に、最初の第２のクーラーボックスの断熱本体を積み重ねて、載置した際に、これらの曲面同士が一致して、係合することで、第２のクーラーボックスが、第１のクーラーボックスの蓋の上で、その幅方向に水平移動することが実質的に制限される。２つめの第２のクーラーボックスの断熱本体を、第１のクーラーボックスの断熱蓋の上に、最初の第２のクーラーボックスと隣接して、積み重ねて、載置した際に、これらの２つの第２のクーラーボックスが隣接して配置されることと、上記の曲面同士の係合により、１対の第２のクーラーボックスが、第１のクーラーボックスの蓋の上で、その長さ方向に水平移動することが実質的に制限される。
【図面の簡単な説明】
【００１０】
【図１】図１は、本発明により積み重ねられたクーラーボックスを示す正面図である。
【図２】図２は、本発明の第１のクーラーボックスの斜視図である。
【図３】図３は、図２に示した第１のクーラーボックスの正面図である。
【図４】図４は、図２に示した第１のクーラーボックスの側面図である。
【図５】図５は、図２に示した第１のクーラーボックスの断熱蓋の平面図である。
【図６】図６は、図５に示した蓋の正面断面図である。
【図７】図７は、図５に示した蓋の部分断面図である。
【図８】図８は、本発明の第２のクーラーボックスの側面図である。
【図９】図９は、図８に示した第２クーラーボックスの正面図である。
【図１０】図１０は、図８に示した第２のクーラーボックスの断熱蓋の平面図である。
【図１１】図１１は、図１０に示した蓋の正面断面図である。
【図１２】図１２は、図１０に示した蓋の部分断面図である。
【図１３】図１３は、本発明の別態様の第１のクーラーボックスの斜視図である。
【図１４】図１４は、図１３に示したクーラーボックスの分解斜視図である。
【図１５】図１５は、図１３に示したクーラーボックスの蓋を取り付け状態を示す部分断面図である。
【図１６】図１６は、本発明の第１のクーラーボックスをカートに置いた状態を示す斜視図である。
【図１７】図１７は、本発明の別態様の第１のクーラーボックスをカートに置いた状態を示す正面図である。
【図１８】図１８は、図１６に示したカートのラッチを掛けた状態を示す斜視図である。
【図１９】図１９は、図１６に示したカートのラッチを外した状態を示す斜視図である。
【図２０】図２０は、図１６に示したカートを折り畳んだ状態を示す斜視図である。
【図２１】図２１は、図１６に示したカートを折り畳んで、第１のクーラーボックスに収納した状態を示す斜視図である。
【図２２】図２２は、図２１と同じ状態を示す平面図である。
【図２３】図２３は、本発明のクーラーボックスの積み重ねシステムをカートに載置した状態を示す正面図である。
【図２４】図２４は、本発明のクーラーボックスの積み重ねシステムの断面図である。
【発明を実施するための形態】
【００１１】
本発明の完全な理解を図るために、本発明の特徴と効果について、以下、図面を参照しながら説明する。
【００１２】
本発明は、サイズが同じか異なるかにかかわらず、複数の断熱クーラーボクッスを積み重ねるためのシステムを提供するものである。図面を参照するが、同様の要素には、同じ番号が付されている。図１に、本発明によるクーラーボックスの積み重ね（１０）の例を示している。この積み重ね（１０）の例では、２種類の異なるサイズのクーラーボックスが垂直に積み重ねられている。この積み重ねの一番下には、第１のサイズを有する１番目のクーラーボックス（１２）が置かれている。その上に、１番目のクーラーボックス（１２）と同じサイズの２番目のクーラーボックス（１４）が、載置される。この２番目のクーラーボックス（１４）の上に、３番目と４番目のクーラーボックス（１６、１８）が並んで載置される。これらのクーラーボックス（１６、１８）は、２番目のクーラーボックスの上に並んで配置されると、ぴったりと嵌るサイズとなっている。これらのクーラーボックス（１６、１８）と同じサイズの５番目と６番目のクーラーボックス（２０、２２）が、３番目と４番目のクーラーボックス（１６、１８）の上にそれぞれ載置される。
【００１３】
図２〜図４に、本発明の第１のクーラーボックス（１２）を示す。第１のクーラーボックス（１２）は、断熱本体（３０）と着脱可能な断熱蓋（３２）を備える。断熱本体（３０）と着脱可能な断熱蓋（３２）はそれぞれ、長さＬL、幅ＷLを有しており、組み合わせた状態でのクーラーボックス全体の高さはｈLである。断熱本体（３０）は矩形状であり、正面、背面、底面および両側面により内部キャビティを形成している。断熱本体（３０）の上側は開口しており、内部キャビティへの物品を出し入れできるようになっている。
【００１４】
断熱本体（３０）は、その底面（３６）から幅ｈbだけ伸長する下部（３４）を備える。下部（３４）の長さＬ1は、断熱本体（３０）の長さＬLよりも短く、その幅Ｗ1は、断熱本体（３０）の幅ＷLよりも短くなっており、この下部（３４）の縁部（３８）は、断熱本体（３０）の底縁（４０）から内側に凹むように形成されている。
【００１５】
断熱蓋（３２）は、断熱本体（３０）の開口上端（４２）に着脱可能に取り付けられており、断熱本体（３０）の内部キャビティを密閉することができる。上述したように、断熱蓋（３２）は、長さＬL、幅ＷL、高さｈOを備えている（図５〜図７参照）。断熱蓋（３２）は、その底面（４６）から伸長する下部（４４）を備える。この下部（４４）は、断熱本体（３０）の開口上端（４２）にぴったりと嵌まるサイズを備えている。
【００１６】
断熱蓋（３２）の上面（４８）には、高さｈe、厚さｔの隆起縁部（５０）が備えられ、この隆起縁部（５０）は内側の長さＬ2、内側の幅Ｗ2を備えている。蓋（３２）の隆起縁部（５０）と上面（３２）の間には、曲面（５２）が伸長している。
【００１７】
断熱蓋（３２）の隆起縁部（５０）は、断熱本体（３０）の下部（３４）が、この隆起縁部（５０）の内側にぴったりと嵌めることができるように、形成されている。すなわち、断熱蓋（３２）の上面（４８）の内側の長さＬ2は、断熱本体（３０）の下部（３４）の長さＬ1よりもわずかに大きくなっている。同様に、蓋（３２）の上面（４８）の内側の幅Ｗ2は、断熱本体（３０）の下部（３４）の幅Ｗ1よりもわずかに大きくなっている。
【００１８】
断熱本体（３０）の下部（３４）の縁部（３８）は、蓋（３２）の隆起縁部（５０）と上面（４８）の間に伸長している曲面（５２）と実質的に逆向きとなる、曲面を備えている。断熱本体（３０）が、断熱蓋（３２）の上に積み重ねて載置された場合に、これらの面が一致して、係合することで、積み重ねられた断熱本体（３０）と断熱蓋（３２）との間で、水平方向の動きが実質的に制限されることとなる。断熱本体（３０）の下部（３４）の縁部（３８）の形状と、隆起縁部（５０）と上面（４８）の間に伸長する面（５２）の形状は、それぞれ曲面として描かれているが、両者が係合して、上記の水平方向の動きが制限されるものであれば、任意の形状および構造を採用することができる。
【００１９】
断熱本体（３０）の下部（３４）に、複数の脚部（５４）をさらに備えるようにしてもよい。脚部（５４）は、下部（３４）の両側に配置され、下部（３４）の長さＬ1の方向に沿って伸長する。この脚部（５４）により、クーラーボックス（１２）の安定性が向上する。２つの脚部のみが図示されているが、クーラーボックス（１２）の安定性をさらに向上させるために、この下部（３４）に３つ以上の脚部を備えるようにしてもよい。たとえば、クーラーボックス（１２）の下部（３４）に、同じ間隔で配され、その長さＬ1方向または幅Ｗ1方向に沿ってそれぞれ伸長する３つの脚部を備えることができる。また、下部（３４）のそれぞれの角に４つの脚部を１つずつ配置したり、下部（３４）のそれぞれの角と中央部分に５つの脚部を１つずつ配置したりすることもできる。
【００２０】
第１のクーラーボックス（１２）の高さｈLについては、第１のクーラーボックス（１２）の用途によって適宜選択することができる。クーラーボックス（１２）の高さは低くてもよく、たとえば、その高さｈLを、内部キャビティ内に飲料用缶の配置した場合や一般的なオーブン皿を２つ重ねた場合の高さに合わせて選択することもできる。また、代替的に、クーラーボックス（１２）の高さｈLを、内部キャビティ内に２リットル飲料ボトルやワインボトル、その他の飲料ボトルなどを垂直に配置した場合の高さに合わせて選択することもできる。これらの例は、単なる例示にすぎず、高さｈLを制限することを意図するものではない。
【００２１】
図８および図９に、本発明の第２のクーラーボックス（１６）を示す。第２のクーラーボックス（１６）も、断熱本体（６０）と着脱可能な断熱蓋（６２）を備えている。断熱本体（６０）と着脱可能な断熱蓋（６２）は、それぞれ長さＬS、幅がＷSを備えている。また、これらを組み合わせた場合の全体の高さはｈSである。断熱本体（６０）は、矩形状で、正面、背面、底面および両側面により内部キャビティを形成している。
【００２２】
断熱本体（６０）は、さらに、その底面（６６）から幅ｈbだけ伸長する下部（６４）を備える。この下部（６４）の長さはＬ3であり、断熱本体（６０）の長さＬSよりも短くなっており、また、その幅はＷ3であり、断熱本体（６０）の幅ＷSよりも短くなっている。このため、この下部（６４）の縁部（６６）は、断熱本体（６０）の底面縁部（７０）から内側に凹んで形成されている。第２のクーラーボックス（１６）の断熱本体（６０）は、運搬用の回転式のハンドル（７１）をさらに備える。
【００２３】
断熱蓋（６２）は、断熱本体（６０）の開口上端（７２）に着脱可能に取り付けられており、断熱本体（６０）の内側キャビティを密閉することができる。上述したように、断熱蓋（６２）の長さはＬS、幅はＷSおよび高さはｈ0である（図１０および図１１参照）。断熱蓋（６２）は、その底面（７６）から伸長する下部（７４）をさらに備える。この下部（７４）は、断熱本体（６０）の開口上端（７２）にぴったりと嵌まるサイズを備えている。
【００２４】
断熱蓋（６２）の上面（７８）は、高さｈe、厚さｔの隆起縁部（５０）を備える。この上面（７８）は、内側の長さＬ4、内側の幅Ｗ4を備えている。蓋の（６２）の隆起縁部（８２）と上面の間には、曲面（８２）が伸長している。
【００２５】
蓋（６２）の隆起縁部（８０）は、断熱本体（６０）の下部（６４）が、この隆起縁部（８０）内にぴったりと嵌めることができるように形成されている。このように、蓋（６２）の上面（６８）の内側の長さＬ4は、断熱本体（６０）の下部（６４）の長さＬ3よりもわずかに大きくなっている。同様に、蓋（６２）の上面（６８）の内側の幅Ｗ4は、断熱本体（６０）の下部（６４）の幅Ｗ3よりもわずかに大きくなっている。
【００２６】
断熱本体（６０）の下部（６４）の縁部（６８）は、蓋（６２）の隆起縁部（８０）と上面（７８）の間に伸長している曲面（８２）と実質的に逆向きの曲面形状を備える。断熱本体（６０）が、断熱蓋（６２）の上に積み重ねて載置された場合、これらの面が一致して、係合することで、積み重ねられた断熱本体（６０）と断熱蓋（６２）との間で、水平方向の動きが実質的に制限されることとなる。断熱本体（６０）の下部（６４）の縁部（６８）の形状と、隆起縁部（８０）と上面（７８）の間に伸長する面（８２）の形状は、曲面として表されているが、これらの面同士が係合して、それらの間で水平方向の動きを制限することが可能であれば、任意の形状および構造を採用することができる。
【００２７】
断熱本体（６０）の下部（６４）に、複数の脚部（８４）をさらに備えるようにしてもよい。この脚部（８４）は、下部（６４）の両側に配置され、下部（６４）の長さＬ3方向に沿って伸長している。この脚部（８４）により、クーラーボックス（１６）の安定性が向上する。脚部が２つからなる場合が図示されているが、クーラーボックス（１６）の安定性をさらに向上させるために、下部（６４）に３つ以上の脚部を備えることも可能である。たとえば、クーラーボックス（１６）の下部（６４）に均一の間隔で、それぞれが下部（６４）の長さＬ3方向または幅Ｗ3方向に沿って伸長する３つの脚部を備えたり、４つの脚部を下部（６４）のそれぞれの角に１つずつ配置したり、さらには、５つの脚部を下部（６４）のそれぞれの角と中央部分に１つずつ配置したりする構造も採用可能である。
【００２８】
第２のクーラーボックス（１６）の高さｈSについては、第２のクーラーボックス（１６）の用途によって適宜選択することができる。クーラーボックス（１６）の高さは低くてもよく、たとえば、その高さｈSを、内部キャビティ内に飲料用缶の配置した場合や一般的なオーブン皿を２つ重ねた場合の高さに合わせて選択することもできる。また、代替的に、クーラーボックス（１６）の高さｈSを、内部キャビティ内に２リットル飲料ボトルやワインボトル、その他の飲料ボトルなどを垂直に配置した場合の高さに合わせて選択することもできる。これらの例は、単なる例示にすぎず、高さｈSを制限することを意図するものではない。
【００２９】
図１および図２４に示すように、１対の第２のクーラーボックス（１６、１８）を、第１のクーラーボックス（１４）の上に積み重ねることができる。第１のクーラーボックス（１４）の上に第２のクーラーボックス（１６、１８）を積み重ねる場合に、第２のクーラーボックス（１６、１８）は、第１のクーラーボックス（１４）の蓋（３２）の長さ方向に沿って、横に並べて載置される。すなわち、第１のクーラーボックス（１４）の蓋（３２）の上面（３８）の内側の幅Ｗ2は、第２のクーラーボックス（１６、１８）の断熱本体（６０）の下部（６４）の長さＬ3よりもわずかに大きくなっている。第１のクーラーボックスの蓋（３２）の上面（３８）の内側の長さＬ2は、第２のクーラーボックス（１６、１８）の断熱本体（６０）の下部（６４）の幅Ｗ3の２倍よりも大きくなっている。このようにして、２つの第２のクーラーボックス（１６、１８）を、第１のクーラーボックス（１４）の蓋（３２）の長さ方向に沿って横向きに並べて配置することができる。
【００３０】
第２クーラーボックス（１６、１８）の断熱本体（６０）の下部（６４）の縁部（６８）は曲面形状を有しており、第１のクーラーボックスの蓋（３２）の隆起縁部（５０）と上面（４８）の間に伸長している曲面（５２）と実質的に逆向きの形状となっている。一方の第２のクーラーボックス（１６）の断熱本体（６０）を、第１のクーラーボックス（１４）の断熱蓋（３２）の上に積み重ねて置くと、これらの表面が一致して係合し、第１のクーラーボックス（１４）の蓋（３２）上で、その幅方向における、第２のクーラーボックス（１６）の水平方向の動きが実質的に制限される。他方の第２のクーラーボックス（１８）の断熱本体（６０）を、第１のクーラーボックス（１４）の断熱蓋（３２）の上に、一方の第２のクーラーボックス（１６）と隣接して、積み重ねて置くと、これら２つの第２のクーラーボックス（１６、１８）が隣接し合うことと、上述した面同士の係合により、第１のクーラーボックス（１４）の蓋（３２）上で、その長さ方向における、１対の第２のクーラーボックス（１６、１８）の水平方向の動きが実質的に制限される。
【００３１】
いずれのクーラーボックスの蓋も、クーラーボックス本体にヒンジにより取り付けることが可能である。ただし、このヒンジを、クーラーボックスを積み重ねることに干渉しないように配置する必要がある。図示した以外のハンドルも採用しうる。たとえば、異なる形状およびサイズにモールド成型されたハンドル、スライド式ないしは折り畳み式のハンドル、チューブ状のハンドル、クーラーボックスの周りを旋回可能なハンドルなど、その他の公知のハンドルを採用することができ、これらのハンドルを採用したものも本発明の範囲に含まれる。同様に、車輪や収納用仕切りなどの追加的な特徴を備える、いかなるクーラーボックスも、本発明の範囲に含まれる。本発明のクーラーボックスは、１つ以上のクーラーボックスを安定的に積み重ねることができる類似の積み重ね可能な蓋を備えている限り、さまざまな形状やサイズを採りうるものと理解される。
【００３２】
第１のクーラーボックス（１４）上に第２のクーラーボックス（１６、１８）を積み重ねた場合、第２のクーラーボックス（１６）の外側の両側面、正面および背面と、第１のクーラーボックスの両側面、正面および背面は、実質的に直線状に配列される。
【００３３】
図１３および図１４に、外側シェル（３０ａ）と、この外側シェル（３０ａ）に内嵌めされる断熱ライナ（３０ｂ）とを備える、好ましい態様の断熱クーラーボックス（３０）を示す。また、断熱クーラーボックス（３０）は、外側シェル（３０ａ）と一体的に形成されたハンドル（３０ｃ）を備えていることが好ましい。
【００３４】
本発明の別の実施態様は、１つ以上の積み重ねクーラーボックスに使用できる、折り畳み式のカートを備えている。図１６および図１７に、カート（１００）に載置され、運搬が容易な状態となっているクーラーボックス（１２）を示す。カート（１００）は、その安定性を図り、かつ、最小限の材料で、折り畳めるようにするため、Ｈ形状であることが好ましい。クーラーボックス（１００）の角部は、リップ部（１０４）によって、カート（１００）の上部の所定位置に載置される。好ましくは、リップ部（１０４）を４つ備え、カート（１００）のそれぞれの角部に１つずつ配置する。しかしながら、リップ部が、カート（１００）の各端部の長さ方向に伸長する構成も、本発明の範囲に含まれる。カート（１００）は、その後側に配置された１対の頑丈な車輪（１０６）と、カート（１００）の前側に配置され、その容易な旋回を可能とするためのピボット車輪（１０８）を備えることが好ましい。図２３に示すように、テレスコープ式のハンドル（１１０）を、カート（１００）の前側に設けられたハンドルマウント（１１２）に挿入して取り付けると、カート（１００）とクーラーボックスを引っ張って、容易に運搬することが可能となる。図１８〜図２０に示すように、カート（１００）を、少なくとも２つの部品から構成し、これらを中央バー（１１８）付近で、ロック可能なラッチ（１２０）により連結させる構成とすることが好ましい。カート（１００）は、耐久性や重量の観点からプラスチック製であることが好ましい。
【００３５】
使用時に、カート部品（１１４、１１６）を展開し、直線上に配置して、ラッチ（１２０）をロックすることで、カート（１００）が固定される。使用しない場合には、図２１および図２２に示すように、ラッチ（１２０）を解除し、カート（１００）を折り畳んで保管状態とする。カート（１００）をＨ形状とすることにより、中央バー（１１８）が前側の車輪（１０８）の間に嵌ることが可能となり、２つのカート部品（１１４、１１６）を、当接しあうように容易に折り畳むことが可能となる。図示の例では、これらの２つのカート部品（１１４、１１６）は独立しており、前側部品（１１４）にピボットにより取り付けたラッチ（１２０）により、相互に接続され、前側部品（１１４）を後側部品（１１６）にロックするようになっている。ただし、前側部品（１１４）と後側部品（１１６）自体を、図示しないヒンジで取り付けた構造や、これらを薄い材料で接続し、ラッチによる係合が解除された場合でも相互に離れないが、互いの上面を向き合わせて折り畳めるようにした構造も、本発明の範囲に含まれる。図２１〜図２２に示すように、カート（１００）を折り畳むと、運搬や保管のために断熱本体（３０）の内側に嵌め込める状態となる。図２３に示すように、カート（１００）により、複数のクーラーボックスの運搬が可能となる。
【符号の説明】
【００３６】
１０  クーラーボックスの積み重ね
１２  １番目のクーラーボックス（第１のクーラーボックス）
１４  ２番目のクーラーボックス（第１のクーラーボックス）
１６  ３番目のクーラーボックス（第２のクーラーボックス）
１８  ４番目のクーラーボックス（第２のクーラーボックス）
２０  ５番目のクーラーボックス（第２のクーラーボックス）
２２  ６番目のクーラーボックス（第２のクーラーボックス）
３０  断熱本体
３０ａ  外側シェル
３０ｂ  断熱ライナ
３０ｃ  ハンドル
３２  断熱蓋
３４  断熱本体の下部
３６  断熱本体の底面
３８  断熱本体の下部の縁部
４０  断熱本体の底面の縁部
４２  開口端
４４  断熱蓋の下部
４６  断熱蓋の底面
４８  断熱蓋の上面
５０  断熱蓋の外縁部
５２  断熱蓋の曲面部
５４  脚部
６０  断熱本体
６２  断熱蓋
６４  断熱本体の下部
６６  断熱本体の底面
６８  断熱本体の下部の縁部
７０  断熱本体の底面の縁部
７１  回転式ハンドル
７２  開口端
７４  断熱蓋の下部
７６  断熱蓋の底面
７８  断熱蓋の上面
８０  断熱蓋の外縁部
８２  断熱蓋の曲面部
１００  カート
１０４  リップ部
１０６  車輪
１０８  ピボット車輪
１１０  カートハンドル
１１２  ハンドルマウント
１１４  カート部品
１１６  カート部品
１１８  中央バー
１２０  ラッチ
【図１】
2012502256.tif 000003
【図２】
2012502256.tif 000004
【図３】
2012502256.tif 000005
【図４】
2012502256.tif 000006
【図５】
2012502256.tif 000007
【図６】
2012502256.tif 000008
【図７】
2012502256.tif 000009
【図８】
2012502256.tif 000010
【図９】
2012502256.tif 000011
【図１０】
2012502256.tif 000012
【図１１】
2012502256.tif 000013
【図１２】
2012502256.tif 000014
【図１３】
2012502256.tif 000015
【図１４】
2012502256.tif 000016
【図１５】
2012502256.tif 000017
【図１６】
2012502256.tif 000018
【図１７】
2012502256.tif 000019
【図１８】
2012502256.tif 000020
【図１９】
2012502256.tif 000021
【図２０】
2012502256.tif 000022
【図２１】
2012502256.tif 000023
【図２２】
2012502256.tif 000024
【図２３】
2012502256.tif 000025
【図２４】
2012502256.tif 000026
【国際調査報告】
2012502256.tif 000027
2012502256.tif 000028